(57)【要約】【課題】本発明は、左右に並んだ状態の編地を伏目処理で接合する際に、編糸の糸切れが起こるなどの編糸の損傷が起こらない編地の接合方法を提供する。【解決手段】少なくとも前後一対の針床を備えて目移しが可能な横編機を用い、第２編地の編目を左右方向に並ぶ第１編地側に移動して重ね目を設け、該重ね目に新たな編目を設ける伏目処理を行って編針に係止する編目を減らす。残った第２編地に第２給糸口を用いて順次編幅を減らすように編成する所謂引き返し編成を行い、新たな編目を形成することを繰り返しながら、伏目処理にて第１編地と第２編地を接合する。【選択図】図１
2011226003.tif 000002
【特許請求の範囲】
【請求項１】
少なくとも前後一対の針床を備えて目移しが可能な横編機を用い、第１給糸口を用いて形成した第１編地と、第２給糸口を用いて形成した接合の際に編地の移動を行う第２編地を左右に並べて編成し、両編地の境界を挟んで編目同士をその境界に近い編目から順次伏目処理にて接合する編地の接合方法において、第２編地の編目を第１編地側に移動して重ね目を設け、該重ね目に新たな編目を形成する伏目処理を行って編針に係止する編目を減らし、残った第２編地に第２給糸口を用いた引き返し編成による新たな編目を形成することを繰り返しながら、伏目処理にて第１編地と第２編地を接合することを特徴とする編地の接合方法。
【請求項２】
前記重ね目に形成する新たな編目と、前記第２給糸口を用いた引き返し編成による新たな編目は、同じ給糸口を用いて形成するとともに、該給糸口は引き返し編成後に第１編地に近づくことを特徴とする請求項１に記載の編地の接合方法。
【発明の詳細な説明】
【技術分野】
【０００１】
本発明は、横編機を用い、第１編地と第２編地を左右に並べて編成し、両編地の境界を挟んだ編目同士を伏目処理にて接合する編地の接合方法に関する。
【背景技術】
【０００２】
横編機でＶネックベストを無縫製で編成する場合には、１つの給糸口で裾から筒状に身頃を編成し、複数の給糸口を追加してアームホールとＶネックに開口部を形成し、左右の肩部分において前後身頃終端の編目を接合する。肩の接合に関しては、前後身頃に対向して並ぶ編目を伏目処理することが示されている。（特許文献１参照）
【０００３】
図３は、前開きＶネックベスト１の概略図である。この図に示すベストは前身頃中央で開いているが、編成方法は前記Ｖネックベストで前後身頃を周回して筒状に編成する部分をＣ字状に折り返す編成にしたものである。左右前身頃と後身頃に引き返し編成を行いそれぞれの肩下がりを付けた後、前後身頃の終端の編目に対し肩の接合と衿の解れ止めの伏目処理を行い完成する。
【０００４】
また、前開きＶネックベスト１の編成方法には、前身頃と後身頃を横一列に並べて編成する方法がある。図４は、その左右に並ぶ前後身頃の編成を行う前開きＶネックベストの編成概略図である。肩の接合は、接合する編目が前後針床で向かい合う形ではなく、左右に隣り合う状態で行う。
【０００５】
その編成方法では、肩下がりを設けるために前身頃と後身頃に対して、順次編幅を減らすように編成する所謂引き返し編成を行い、図４で示す前身頃３の右前身頃３Ｒには右前身引き返し部４Ｒ、左前身頃３Ｌには左前身引き返し部４Ｌを形成して前肩下がりを、後身頃２には右後身引き返し部５Ｒと左後身引き返し部５Ｌを形成して後肩下がりを設ける。その前後身頃の編成が終了した後、左右両肩の肩接合部６である右前身肩接合部６ＲＦと右後身肩接合部６ＲＢ、左前身肩接合部６ＬＦと左後身肩接合部６ＬＢで前後身頃を接合する。つまり、図中の矢印で示すような形で編目同士をその境界に近い編目から順次伏目処理する。
【０００６】
前記伏目処理に伴い、伏目処理用の重ね目を形成する際には目移しが必要となる。その形成された重ね目は、伏目処理としての新たな編目が形成されて順次編針から払われていく。残った他の編目はその編目自身が伏せられるまで、重ね目となる編目に近づいていくための目移しが繰り返される。図中、右前身引き返し部４Ｒと左前身引き返し部４Ｌの上部側となる外側に位置する編目は、伏目処理を行う編目同士が離れており、目移し回数を多く必要とする。
【先行技術文献】
【特許文献】
【０００７】
【特許文献１】特開平２−９１２５４号公報
【発明の概要】
【発明が解決しようとする課題】
【０００８】
針床に左右に並んだ状態の編地を伏目処理で接合する場合、伏目処理順が遅い編目は、伏目までの間目移しを繰り返さねばならず、糸切れが起こることがある。本発明の目的は、同じ針床で左右に並んだ状態の編地を伏目処理で接合する際に、糸切れが起こるなどの編糸の損傷が起こらない編地の接合方法を提供することを目的とする。
【課題を解決するための手段】
【０００９】
本発明は、少なくとも前後一対の針床を備えて目移しが可能な横編機を用い、第１給糸口を用いて形成した第１編地と、第２給糸口を用いて形成した接合の際に編地の移動を行う第２編地を左右に並べて編成し、両編地の境界を挟んで編目同士をその境界に近い編目から順次伏目処理にて接合する編地の接合方法において、第２編地の編目を第１編地側に移動して重ね目を設け、該重ね目に新たな編目を形成する伏目処理を行って編針に係止する編目を減らし、残った第２編地に第２給糸口を用いた引き返し編成による新たな編目を形成することを繰り返しながら、伏目処理にて第１編地と第２編地を接合することを特徴とする。
【００１０】
また本発明では、前記重ね目に形成する新たな編目と、前記第２給糸口を用いた引き返し編成による新たな編目は、同じ給糸口を用いて形成するとともに、該給糸口は引き返し編成後に第１編地に近づくことを特徴とする。
【発明の効果】
【００１１】
本発明によれば、第２編地の編目に対して、伏目処理の際に引き返し編成による新たな編目を形成することで、同じ編目に対する目移しの回数は減少し、伏目処理時の目移しで糸切れを起こすなどの編糸の損傷を回避できる。
【００１２】
さらに本発明によれば、前記伏目処理による新たな編目の形成と編成後に給糸口が第１編地に近づく引き返し編成による新たな編目の形成に対し、引き返し編成の後の給糸口の位置が伏目の対象となる編目に近くなって効率よく編成が進み、同じ給糸口を用いて行うことで給糸口の数も減り、編糸の糸始末も軽減される。
【図面の簡単な説明】
【００１３】
【図１】図１は、本発明の実施例である右肩の肩接合部６を接合する編成図である。
【図２】図２は、図１に続く右肩の肩接合部６を接合する編成図である。
【図３】図３は、前開きＶネックベスト１の概略図である。
【図４】図４は、左右に並ぶ前後身頃の編成を行う前開きＶネックベストの編成概略図である。
【発明を実施するための形態】
【００１４】
以下、本発明の実施例では、左右に並ぶ前後身頃の編成を行う前開きＶネックベストにおける右肩の肩接合部６の編成を、図１，図２，図４に基づいて説明する。図１は、本発明の実施例である右肩の肩接合部６を接合する編成図である。図２は、図１に続く右肩の肩接合部６を接合する編成図である。尚、各図に付与する符号や説明の内容は、重複する部分について省略する場合がある。編成に使用する横編機は、前後一対の針床を備えた２枚ベッド横編機であり、後針床が前針床に対してラッキング可能で前後針床間で目移しも可能である。また、説明の便宜のため、針数と編目を実際の編成より少なくし、すべて天竺で編成するものとする。また、ラッキングを伴う目移しについては、編成図でラッキングの動作を省略している。
【実施例】
【００１５】
本実施例では、左右両肩の接合において、左右対称にはなるが伏目処理を同様に行うため、説明は右肩のみで行う。前開きＶネックベスト１の右肩を接合する為には、第１給糸口を用いて編成した後身頃２に続く右後身肩接合部６ＲＢと、第２給糸口を用いて編成した右前身肩接合部６ＲＦとを接続する。以下、その工程を図１，２の編成図を使って説明する。
【００１６】
図１では、左側の位置に示すＳ＋数字はステップを表示し、Ｓ０からＳ２５まで続く。ＦＢは前針床、ＢＢは後針床を示し、ステップ表示の隣りの矢印は、左右方向がキャリッジの進行方向を示し、上下方向が前後針床間の目移し方向を示す。上向きはＦＢからＢＢに対する目移しで下向きはその逆となる。黒い丸は新たに形成する編目を示し、白い丸は編針に係止する編目、二重の丸は重ね目、黒点は編針を示す。編針はアルファベットで位置を示し、ＢＢでは小文字、ＦＢでは大文字で示す。
【００１７】
Ｓ０では、ＢＢの編針ａ〜ｋに右前身引き返し部４Ｒが、編針ｌ〜ｓに右後身肩接合部６ＲＢの各編目が係止されており、それぞれ第２給糸口と第１給糸口を使っている。Ｓ１では、右前身引き返し部４Ｒの編針ａ〜ｋに係止する編目に新たな編目を形成する。また右後身肩接合部６ＲＢの編針ｌ〜ｓに係止する編目を、編針Ｌ〜Ｓの各編針に目移しする。Ｓ１の編成以降の新たな編目の形成は、第２給糸口での編成となる。Ｓ２では、ＢＢの編針ｋに係止する編目をＦＢの編針Ｌに目移しする。
【００１８】
Ｓ３では、左方向に向けＦＢの編針Ｍの編目に新たな編目を形成する。Ｓ４では、右方向に向けＦＢの編針Ｌ, Ｍに新たな編目を形成する。Ｓ５では、ＦＢの編針Ｌに係止する編目をＢＢの編針ｌに目移しする。Ｓ２で重ね目を設け、さらにＳ３，４で新たな編目を設けて伏目処理を行っている。Ｓ６では、Ｓ５でＢＢの編針ｌに目移しした編目をＦＢの編針Ｍに移し戻すことで重ね目を形成する。Ｓ７では、ＢＢの編針ａ〜ｊに係止する各編目を３針分右にずれたＦＢの編針Ｄ〜Ｍに目移しする。ここでも編針Ｍにはさらに重ね目が形成されて３重目となる。
【００１９】
Ｓ８では、左方向に向けてＦＢの編針Ｎに係止する編目に新たな編目を形成し、Ｓ９では、右方向に向けてＦＢの編針Ｍ, Ｎに新たな編目を形成する。この２つのステップは、伏目処理としての編成となる。Ｓ１０では、ＦＢの編針Ｄ〜Ｍに係止する各編目をＢＢの編針ｄ〜ｍに目移しする。Ｓ１１では、ＢＢの編針ｍに係止する編目をＦＢの編針Ｎに目移しして重ね目を設ける。Ｓ１２では、ＢＢの編針ｌに係止する編目をＦＢの編針Ｎに目移ししてさらに重ね目が形成されて３重目となる。
【００２０】
Ｓ１３では、左方向に向けてＦＢの編針Ｏに新たな編目を形成する。Ｓ１４では、右方向に向けてＦＢの編針Ｎ, Ｏに新たな編目を形成する。この２つのステップは、Ｓ３，４とＳ８，９と同様に伏目処理としての編成となる。Ｓ１５では、ＦＢの編針Ｎに係止する編目をＢＢの編針ｎに目移しする。Ｓ１６では、Ｓ１５でＢＢに目移しした編目をＦＢの編針Ｏに移し戻すことで重ね目を形成し、Ｓ１７では、ＢＢの編針ｄ〜ｋに係止する各編目を４針分右にずれたＦＢの編針Ｈ〜Ｏに目移しする。ここでも編針Ｏにはさらに重ね目が形成されて３重目となる。Ｓ１８では、Ｓ１７で目移ししたＦＢの編針Ｈ〜Ｎに係止する各編目をＢＢの編針ｈ〜ｎに目移しする。
【００２１】
Ｓ１９では、左方向に向けてＦＢの編針Ｐ, Ｏと、続けてＢＢの編針ｎ〜ｈに係止する各編目に新たな編目を形成する。さらにＳ２０では、右方向に向けてＢＢの編針ｈ〜ｎと、続けてＦＢの編針Ｏ, Ｐに係止する各編目に新たな編目を形成する。Ｓ１９とＳ２０の編成では、Ｓ１の編成時よりも編目数が減っているが、これは重ね目を設けて新たな編目を形成する伏目処理を行い、伏せられた編目が編針から開放されたからである。また２コース同じ編成を行っているのは、順次編目を減らして傾斜などを設ける引き返し編成だからである。またその２コースの編成後の給糸口の位置は、該編成前とほぼ同じで、Ｓ１４の終了時と後に続くＳ２４の位置と近く、伏目処理の編成がスムーズに行える。さらにまた、この後に続く伏目処理で目移しを行う前に、Ｓ７,１０,１７,１８で目移しを行った編目から新たな編目に置き替わる。編目に対する目移しの回数を減らすことができ、編糸が擦り切れたりすることなどが軽減できる。
【００２２】
Ｓ２１では、ＦＢの編針Ｏに係止する編目をＢＢの編針ｏに目移しする。Ｓ２２では、Ｓ２１でＢＢに目移しした編目をＦＢの編針Ｐに移し戻すことで重ね目を形成する。Ｓ２３では、ＢＢの編針ｈ〜ｎに係止する各編目を２針分右にずれたＦＢの編針Ｊ〜Ｐに目移しする。ここでも編針Ｐにはさらに重ね目が形成されて３重目となる。Ｓ２４では、左方向に向けてＦＢの編針Ｑに新たな編目を形成する。Ｓ２５では、右方向に向けてＦＢの編針Ｐ, Ｑに新たな編目を形成する。
【００２３】
Ｓ２５に続いては、Ｓ１０〜Ｓ２０で示したステップと同様であるため図面を省略する。具体的には、第１編地に対して第２編地を移動することで重ね目を設け、重ね目に新たな編目を形成する。伏せた編目を編針から開放して編地の編目を減らし、残った編地に引き返し編成を行うステップを繰り返し、編針に係止する編目の位置が順次右側にずれながら伏目処理による第１編地と第２編地の接合を行う。最終的には、Ｓ０で示したＢＢの編針ａ〜ｋの右前身引き返し部４Ｒの編目と、編針ｌ〜ｓの右後身肩接合部６ＲＢの各編目が、右肩接合部として接合する。なお、前身引き返し部４Ｒの傾斜は、Ｓ１９とＳ２０のニット編成や、その後に行う引き返し編成で形成され、肩下がりが得られる。
【００２４】
本実施例で示した伏目処理は、種々ある伏目方法の一つであり、これに限ることなく他の伏目方法を用いることもできる。重ね目を設ける際の寄せるピッチは自由に設定でき、下がりを決定する傾斜角度についても、該引き返し編成の回数で調整も可能である。また、使用する給糸口についても、本実施例で使用した１つの給糸口に限られていることはなく、第１編地で同様に引き返し編成を行い、その給糸口と合わせて２つの給糸口を用いてもよく、また別の伏目専用の給糸口を用いても良い。
【００２５】
また本実施例で示した編地の接合は、天竺の編目で行っているが、裏目やメッシュ柄などが含まれていてもよく、４枚ベッドの横編機を使ってもよい。さらに実施例では、前開きベストの肩接合を示したが、それに限定されることなく、本発明の主旨を逸脱しない範囲で適用可能である。
【符号の説明】
【００２６】
１      前開きＶネックベスト
２      後身頃
３      前身頃
３Ｒ    右前身頃
３Ｌ    左前身頃
４      前身引き返し部
４Ｒ    右前身引き返し部
４Ｌ    左前身引き返し部
６      肩接合部
６ＲＦ  右前身肩接合部
６ＲＢ  右後身肩接合部
【図１】
2011226003.tif 000003
【図２】
2011226003.tif 000004
【図３】
2011226003.tif 000005
【図４】
2011226003.tif 000006